【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
基体と、該基体上に形成された弾性層と、該弾性層の表面を被覆しているウレタン樹脂を含む表面層と、を有する電子写真用部材であって、
該ウレタン樹脂は、
下記ポリエステルポリオール（１）または下記ポリエステルポリオール（２）とポリイソシアネートとの反応物である水酸基末端プレポリマーと、
下記ポリエステルポリオール（３）または下記ポリエステルポリオール（４）とポリイソシアネートとの反応物であるイソシアネート末端プレポリマーと、
の反応物であることを特徴とする電子写真用部材：
ポリエステルポリオール（１）：
アジピン酸およびスベリン酸からなる群から選ばれる少なくとも一方のカルボン酸と、炭素数３以上６以下の脂肪族トリオールと、
炭素数４以上６以下の脂肪族ジオールとの反応物；
ポリエステルポリオール（２）：
ε−カプロラクトンと、
炭素数３以上６以下の脂肪族トリオールとの反応物；
ポリエステルポリオール（３）：
アジピン酸およびスベリン酸からなる群から選ばれる少なくとも一方のカルボン酸と、炭素数３以上６以下の脂肪族トリオールと、
炭素数４以上６以下の脂肪族ジオールとの反応物；
ポリエステルポリオール（４）：
ε−カプロラクトンと、
炭素数３以上６以下の脂肪族トリオールとの反応物。
【請求項２】
前記ポリイソシアネートが、４，４’−ジフェニルメタンジイソシアネートまたはポリメチレンポリフェニルポリイソシアネートである請求項１に記載の電子写真用部材。
【請求項３】
前記ポリイソシアネートが、４，４’−ジフェニルメタンジイソシアネートである請求項１に記載の電子写真用部材。
【請求項４】
前記水酸基末端プレポリマーの平均官能基価が４．０以上５．０以下であり、前記イソシアネート末端プレポリマーの平均官能基価が３．０以上４．０以下である請求項１〜３のいずれか１項に記載の電子写真用部材。
【請求項５】
前記ポリエステルポリオール（１）〜（４）の平均官能基価が２．５以上３．４以下である請求項１〜４のいずれか１項に記載の電子写真用部材。
【請求項６】
前記表面層が、
下記構造式（１）で示される構造と、
下記構造式（２）で示される構造および下記構造式（３）で示される構造から選ばれる少なくとも一方の構造と、
を有するアクリル樹脂をさらに含む請求項１〜５のいずれか１項に記載の電子写真用部材：
【化１】
2014044411.tif 000001
上記構造式（１）中、Ｒ１は水素原子もしくはメチル基、Ｒ２は炭素数１〜７の直鎖または分岐を有するアルキル基を示す。また、炭素原子間に酸素原子を含んでも良い；
【化２】
2014044411.tif 000002
上記構造式（２）中、Ｒ３は水素原子もしくは炭素数１〜４の直鎖または分岐を有するアルキル基を示す；
【化３】
2014044411.tif 000003
上記構造式（３）中、Ｒ４は水素原子もしくはメチル基、Ｒ５は炭素数１〜４のアルキレン基、Ｒ６は水素原子もしくは炭素数１〜４の直鎖または分岐を有するアルキル基を示す。
【請求項７】
前記弾性層がシリコーンゴムを含む請求項１〜６のいずれか一項に記載の電子写真用部材。
【請求項８】
現像部材と該現像部材の表面に当接している現像剤層厚規制部材とを含む現像装置において、該現像部材が、請求項１〜７のいずれか一項に記載の電子写真用部材であることを特徴とする現像装置。
【請求項９】
請求項８に記載の現像装置を具備していることを特徴とする電子写真装置。
【請求項１０】
電子写真感光体と、該電子写真感光体と当接して配置されている帯電部材とを有する電子写真装置において、該帯電部材が請求項１〜７のいずれか一項に記載の電子写真用部材であることを特徴とする電子写真装置。
【請求項１１】
基体と、該基体上に形成された弾性層と、該弾性層の表面を被覆しているウレタン樹脂を含む表面層と、を有する電子写真用部材の製造方法であって、
下記ポリエステルポリオール（１）または下記ポリエステルポリオール（２）とポリイソシアネートとの反応物である水酸基末端プレポリマーを用意する工程；
下記ポリエステルポリオール（３）または下記ポリエステルポリオール（４）とポリイソシアネートとの反応物であるイソシアネート基末端プレポリマーを用意する工程；および、
該弾性層上に、該水酸基末端プレポリマーと該イソシアネート基末端プレポリマーとを含む塗料を塗布し、該水酸基末端プレポリマーと該イソシアネート基末端プレポリマーとを反応させて該表面層を形成する工程を有することを特徴とする、
電子写真用部材の製造方法：
ポリエステルポリオール（１）：
アジピン酸およびスベリン酸からなる群から選ばれる少なくとも一方のカルボン酸と、炭素数３以上６以下の脂肪族トリオールと、
炭素数４以上６以下の脂肪族ジオールとの反応物；
ポリエステルポリオール（２）：
ε−カプロラクトンと、
炭素数３以上６以下の脂肪族トリオールとの反応物；
ポリエステルポリオール（３）：
アジピン酸およびスベリン酸からなる群から選ばれる少なくとも一方のカルボン酸と、炭素数３以上６以下の脂肪族トリオールと、
炭素数４以上６以下の脂肪族ジオールとの反応物；
ポリエステルポリオール（４）：
ε−カプロラクトンと、
炭素数３以上６以下の脂肪族トリオールとの反応物。
【請求項１２】
前記ポリイソシアネートが、４，４’−ジフェニルメタンジイソシアネートまたはポリメチレンポリフェニルポリイソシアネートである請求項１１に記載の電子写真用部材の製造方法。
【請求項１３】
前記ポリイソシアネートが、４，４’−ジフェニルメタンジイソシアネートである請求項１１または１２に記載の電子写真用部材の製造方法。
【請求項１４】
前記水酸基末端プレポリマーの平均官能基価が４．０以上５．０以下であり、前記イソシアネート末端プレポリマーの平均官能基価が３．０以上４．０以下である請求項１１〜１３のいずれか１項に記載の電子写真用部材の製造方法。
【請求項１５】
前記ポリエステルポリオール（１）〜（４）の平均官能基価が２．５以上３．４以下である請求項１１〜１４のいずれか１項に記載の電子写真用部材の製造方法。
【手続補正２】
【補正対象書類名】明細書
【補正対象項目名】発明の名称
【補正方法】変更
【補正の内容】
【発明の名称】電子写真用部材、電子写真用部材の製造方法および電子写真装置
【手続補正３】
【補正対象書類名】明細書
【補正対象項目名】０００１
【補正方法】変更
【補正の内容】
【０００１】
本発明は、電子写真装置に用いられる電子写真用部材、電子写真用部材の製造方法および、電子写真装置に関する。
【手続補正４】
【補正対象書類名】明細書
【補正対象項目名】０００６
【補正方法】変更
【補正の内容】
【０００６】
そこで、本発明の目的は、ウレタン樹脂を含む表面層を用いつつも、圧縮永久歪みの発生を抑制した電子写真用部材およびその製造方法を提供することにある。
また、本発明の他の目的は、高品位な電子写真画像の安定した提供に資する電子写真装置を提供することにある。
【手続補正５】
【補正対象書類名】明細書
【補正対象項目名】０００７
【補正方法】変更
【補正の内容】
【０００７】
本発明の一態様によれば、基体と、該基体上に形成された弾性層と、該弾性層の表面を被覆しているウレタン樹脂を含む表面層と、を有する電子写真用部材であって、該ウレタン樹脂は、下記ポリエステルポリオール（１）または下記ポリエステルポリオール（２）とポリイソシアネートとの反応物である水酸基末端プレポリマーと、下記ポリエステルポリオール（３）または下記ポリエステルポリオール（４）とポリイソシアネートとの反応物であるイソシアネート末端プレポリマーと、の反応物である電子写真用部材が提供される。
ポリエステルポリオール（１）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
ポリエステルポリオール（２）：
ε−カプロラクトンと、
炭素数３以上６以下の脂肪族トリオールとの反応物；
ポリエステルポリオール（３）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
ポリエステルポリオール（４）：
ε−カプロラクトンと、
炭素数３以上６以下の脂肪族トリオールとの反応物。
また、本発明の他の態様によれば、基体と、該基体上に形成された弾性層と、該弾性層の表面を被覆しているウレタン樹脂を含む表面層と、を有する電子写真用部材の製造方法であって、
下記ポリエステルポリオール（１）または下記ポリエステルポリオール（２）とポリイソシアネートとの反応物である水酸基末端プレポリマーを用意する工程；
下記ポリエステルポリオール（３）または下記ポリエステルポリオール（４）とポリイソシアネートとの反応物であるイソシアネート末端プレポリマーを用意する工程；および、該弾性層上に、該水酸基末端プレポリマーと該イソシアネート基末端プレポリマーとを含む塗料を塗布し、該水酸基末端プレポリマーと該イソシアネート基末端プレポリマーとを反応させて該表面層を形成する工程を有することを特徴とする、
電子写真用部材の製造方法：
ポリエステルポリオール（１）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
ポリエステルポリオール（２）：
ε−カプロラクトンと、
炭素数３以上６以下の脂肪族トリオールとの反応物；
ポリエステルポリオール（３）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
ポリエステルポリオール（４）：
ε−カプロラクトンと、
炭素数３以上６以下の脂肪族トリオールとの反応物。
【手続補正６】
【補正対象書類名】明細書
【補正対象項目名】０００８
【補正方法】変更
【補正の内容】
【０００８】
本発明によれば、長期間に亘る他部材との当接部分に圧縮永久歪みが生じにくい電子写真用部材およびその製造方法が提供される。また、本発明によれば、高品位な電子写真画像を安定して形成することのできる電子写真装置が提供される。
【手続補正７】
【補正対象書類名】明細書
【補正対象項目名】００１７
【補正方法】変更
【補正の内容】
【００１７】
（表面層）
弾性層の表面を被覆している表面層１ｃは、
下記ポリエステルポリオール（１）または下記ポリエステルポリオール（２）とポリイソシアネートとの反応物である水酸基末端プレポリマーと、
下記ポリエステルポリオール（３）または下記ポリエステルポリオール（４）とポリイソシアネートとの反応物であるイソシアネート末端プレポリマーと、
の反応物であるウレタン樹脂を含む。
・ポリエステルポリオール（１）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
・ポリエステルポリオール（２）：
ε−カプロラクトンと、
炭素数３以上６以下の脂肪族トリオールとの反応物；
・ポリエステルポリオール（３）：
アジピン酸およびスベリン酸からなる群から選ばれる少なくとも一方のカルボン酸と、
炭素数３以上６以下の脂肪族トリオールと、
炭素数４以上６以下の脂肪族ジオールとの反応物；
・ポリエステルポリオール（４）：
ε−カプロラクトンと、
炭素数３以上６以下の脂肪族トリオールとの反応物。
【手続補正８】
【補正対象書類名】明細書
【補正対象項目名】０１０１
【補正方法】変更
【補正の内容】
【０１０１】
実施例１〜７９において、ポリエステルポリオール（１）またはポリエステルポリオール（２）とポリイソシアネートとの反応物である水酸基末端プレポリマーと、ポリエステルポリオール（３）またはポリエステルポリオール（４）とポリイソシアネートとの反応物であるイソシアネート末端プレポリマーとの反応物であるウレタン樹脂を表面層に用いた。そのため、過酷な環境下に放置しても、弾性層からの抽出成分の染み出しや、抽出成分の表面層内部への侵入による表面層の物性低下が抑制され、良好な画像を得ることができた。